(57)【特許請求の範囲】
【請求項１】
放射線画像検出手段と、
前記放射線画像検出手段からの生画像を保存する生画像保存手段と、
前記生画像の付帯情報に基づき、前記生画像を縮小し、縮小した前記生画像を縮小生画像として前記生画像保存手段に保存し、
前記付帯情報および縮小生画像リミットに基づき、前記縮小生画像を圧縮し、圧縮した前記縮小生画像を前記生画像保存手段に保存し、
前記付帯情報および圧縮した縮小生画像リミットに基づき、圧縮した前記縮小生画像を前記生画像保存手段から消去する画像管理手段とを有することを特徴とする放射線画像撮影装置。
【請求項２】
前記付帯情報は、画像撮影日からの経過日数、画像診断日からの経過日数、最終アクセス日からの経過日数の少なくとも１つであることを特徴とする請求項１に記載の放射線画像撮影装置。
【請求項３】
前記放射線画像検出手段で撮影した画像をゲイン補正するためのゲイン画像も前記画像管理手段で管理することを特徴とする請求項１に記載の放射線画像撮影装置。
【請求項４】
前記画像管理手段は患者単位、あるいはスタディ単位で管理モードを変更することを特徴とする請求項１に記載の放射線画像撮影装置。
【請求項５】
前記画像管理手段の画像管理はバックグランド処理でおこなわれることを特徴とする請求項１に記載の放射線画像撮影装置。
【発明の詳細な説明】
【０００１】
【発明の属する技術分野】
本発明は放射線撮影装置に関するものであり、例えば、Ｘ線フラットパネルセンサで直接検出して被写体を撮像する構成の放射線画像撮影装置に関するものである。
【０００２】
【従来の技術】
ある種の蛍光体に放射線（Ｘ線、α線、β線、γ線、電子線、紫外線等）を照射すると、この放射線エネルギーの一部が蛍光体中に蓄積され、この蛍光体に可視光等の励起光を照射すると、蓄積されたエネルギーに応じて蛍光体が輝尽発光を示すことが知られており、このような性質を示す蛍光体は蓄積性蛍光体（輝尽性蛍光体）呼ばれる。この蓄積性蛍光体を利用して、人体等の被写体の放射線画像情報を一旦蓄積性蛍光体のシートに記録し、この蓄積性蛍光体シートをレーザ光等の励起光で走査して輝尽発光光を生ぜしめ、得られた輝尽発光光を光電的に読み取って画像信号を得、この画像信号に基づき写真感光材料等の記録材料、ＣＲＴ等の表示装置に被写体の放射線画像を可視像として出力させる放射線画像情報記録再生システムが提案されている（特開昭５５−１２４２９号、同５６−１１３９５号など）。
【０００３】
また、近年においては半導体のセンサを使用して同様にＸ線画像を撮影する装置が開発されている。これらのシステムは、従来の銀塩写真を用いる放射線写真システムと比較して極めて広い放射線露出域にわたって画像を記録しうるという実用的な利点を有している。すなわち、非常に広いダイナミックレンジのＸ線を光電変換手段により読み取って電気信号に変換し、この電気信号を用いて写真感光材料等の記録材料、ＣＲＴ等の表示装置に放射線画像を可視像として出力させることによって、放射線露光量の変動に影響されない放射線画像を得ることができる。
【０００４】
【発明が解決しようとする課題】
Ｘ線画像は、高分解能化が進み４３×３５ｃｍの半切細部の画像に対して、２０００×２５００画素、あるいはそれ以上の画素から構成される。一般にＸ線画像装置は画像処理手段をもち、この画像処理手段で生画像に対して画像処理をおこなった処理画像（ＱＡ画像）が診断画像となり、プリンターあるいは診断用のＰＡＣＳに出力される。この際、生画像は撮影装置本体の磁気ディスクにテンポラリに保存されることが多く、テンポラリー領域が一杯になれば撮影日等を参照しながら消去されていた。しかしこれらの生画像は装置の撮影ログという意味で、画像処理パラメータの開発という目的で、なるべく多くの生画像情報を保存することが望まれていた。
【０００５】
一方従来技術としては、画像保存装置（サーバー）に於いて、画像の付帯情報をもとに画像圧縮率を変更しながら画像を保存する装置がすでに提案されているが、これらは診断の際の参照画像、あるいは訴訟の際の証拠画像として目的があり、本発明で提案しているような装置のログ的な情報ではない。たとえば、Ｘ線画像の場合、センサの全面に対してＸ線を照射するのでなく、Ｘ線を絞って撮影することがあるが、プリンタ、ネットワークに出力される画像は、画像処理によりＸ線照射されている領域だけが切り取られた画像である。
【０００６】
本発明はかかる事情に鑑みてなされたものであり、撮影装置本体のログ情報を用いた効率の良い放射線撮影画像処理を行うことを目的とする。
【０００７】
【課題を解決するための手段】
上記課題を解決するため、本発明の放射線画像撮影装置は、放射線画像検出手段と、前記放射線画像検出手段からの生画像を保存する生画像保存手段と、前記生画像の付帯情報に基づき、前記生画像を縮小し、縮小した前記生画像を縮小生画像として前記生画像保存手段に保存し、前記付帯情報および縮小生画像リミットに基づき、前記縮小生画像を圧縮し、圧縮した前記縮小生画像を前記生画像保存手段に保存し、前記付帯情報および圧縮した縮小生画像リミットに基づき、圧縮した前記縮小生画像を前記生画像保存手段から消去する画像管理手段とを有することを特徴とする。
【０００８】
【発明の実施の形態】
図１は本発明の第１の実施の形態の放射線画像撮影装置の主要構成要素を示す。５０１は患者を透過したＸ線分布を画像化するためのＸ線フラットパネルセンサーである。本実施の形態では、アモルファスのセンサを使用しており、等価回路は図５にしめす。
【０００９】
図示しないセンサ駆動回路は、センサに読み出し信号を送信して各画素に蓄積された電荷を読み出すためのスイッチングを行う。同様に、読み出された電荷をアンプで増幅しＡＤ変換して、画像管理手段５０３に転送され、生画像保存装置５０２に保存される。ここで生画像は、純粋な生画像でなく、センサー５０１の各画素オフセットとゲインを補正した生画像である。オフセットはセンサの積分時間に依存するので、オフセットが含まれた画像を保存しておく必要はない。また、ゲイン補正に関しても、温度によりゲイン分布が異なる可能性があるので、ゲイン補正、あるいはゲイン補正を行う際におこなうＬＯＧ変換まで含めて生画像とする。ただし、ゲイン補正用画像は、１日、１週間、あるいは１ヶ月周期で撮影されるが、これは別途過去ログとして保存される。本発明に於いては、このゲイン補正用画像に関しても過去ログ情報として、縮小あるいは縮小圧縮保存される。
【００１０】
画像管理手段５０３は、放射線情報システム５０７からの撮影用要求を受信する撮影要求受信回路５０４、画像縮小手段５０５、および画像圧縮手段５０６より構成される。
【００１１】
図２に放射線情報システム５０７に入力された、あるいは放射線情報システム５０７に図示しない病院情報システムから転送された撮影要求リストを示す。ここでは、６月２３日と６月２４日分の要求リストを表示している。６月２４日の撮影が完了した時点では、画像管理手段５０３内での撮影画像リストは右に示すようになっている。
【００１２】
仮に本実施例で示す装置の生画像のサイズが２０００×２５００×１６ビットで１０Ｍバイト、生画像保存装置５０２の記憶容量が１２０Ｍバイトとする。画像管理手段５０３は６月２３日分の撮影が完了した時点では、２３日分の１０枚の撮影に関しての生画像はオリジナルのサイズで保存する。
【００１３】
２４日の撮影が始まった時点に於いて、生画像保存装置５０２の空き容量は２０Ｍバイトであり、岩手幾子さんの撮影が開始された時点で、６月２３日分の画像を縮小せずには岩手さんの生画像を３枚保存することが不可能であることが判明する。
【００１４】
画像管理手段５０３は、この時点で６月２３日に撮影した秋田さんの画像を縮小する。秋田さんの３枚の１枚を縮小することも考えられるが、本実施例においては同じ患者の同じスタディに分類される画像は、同時期に保存状況が変更される。具体的には、画像縮小手段５０５により各辺を１０分の１に圧縮して、２００×２５０画素の生画像に縮小変換される。縮小率は図示しない設定手段により変更することが可能である。
【００１５】
縮小画像のサイズは１００Ｋバイトであり、秋田さんの３枚の画像の縮小および、２４日の岩手さんの３枚の撮影が完了した時点で、生画像保存装置５０２に占有する生画像の容量は、オリジナル画像分が１００Ｍバイト、圧縮された生画像分が３００Ｋバイトとなる。同様に、つぎの町田さんの撮影が始まる時点で、２３日の栃木さんの５枚が縮小され、町田さんの３枚の撮影が完了すると、生画像保存装置５０２に占有する生画像の容量は、オリジナル画像分が８０Ｍバイト、圧縮された生画像分が５００Ｋバイトとなる。
【００１６】
これを繰り返していくと生画像をオリジナルで保存できる領域がなくなることになる。実際には、縮小された生画像の領域が設定可能な容量を超えないように画像管理される。具体的には、縮小生画像は２０Ｍバイトを超えないように管理されるとすれば、１２０Ｍバイトの容量をもつ生画像保存装置５０２で、縮小画像が２００枚、オリジナルサイズで生画像が１０枚管理可能となる。
【００１７】
また、縮小画像に対して画像の分解能を変えずに、冗長度圧縮を行う画像圧縮処理を行うことにより、さらに生画像の保存枚数を増やすことが可能である。具体的には、画像圧縮手段５０６により縮小生画像の容量が２０Ｍバイトを超えようとする祭には、２００×２５０画素、１００Ｋバイトの縮小画像に対して、２０分の１の画像圧縮が適用され、５Ｋバイトに圧縮される。
【００１８】
ただし、これに関しても繰り返してゆくと、縮小生画像すべてが圧縮画像になってしまうので、圧縮された縮小生画像の領域に関しても１０Ｍバイトを超えないように画像管理される。つまり、１２０Ｍバイトの容量をもつ生画像保存装置５０２で、圧縮された縮小生画像が、２０００枚、縮小生画像が１００枚、オリジナルサイズに生画像が１０枚管理可能となる。そして、圧縮された縮小生画像が１０Ｍバイトを超える分に関しては、さらなる画像圧縮も可能であるが、本実施例では画像は完全に消去される。
【００１９】
以上の画像管理手段の処理フローを図３に示す。
【００２０】
まず、ステップＳ３０１において、新規の撮影要求があると、ステップＳ３０２でオリジナルサイズでの記憶が可能であるか否かを判断し、可能の場合には、縮小圧縮処理を行わない（ステップＳ３０８）。
【００２１】
一方オリジナルサイズでの記憶ができない場合には、ステップＳ３０３で画像の付帯情報から判断して、要求度の低い生画像を縮小生画像にする。
【００２２】
次にステップＳ３０４で縮小生画像の容量がＳＬを超えるか否かを判断し、超えなければステップＳ３０８へ移り、超えれば画像の付帯情報から判断して、要求度の低い縮小生画像を圧縮した縮小圧縮画像にする（ステップＳ３０５）。
【００２３】
そして、ステップＳ３０６で圧縮済み縮小生画像の容量がＣＬを超えるか否かを判断し、超えなければステップＳ３０８へ移り、超えれば画像の付帯情報から判断して、要求度の低い圧縮済み縮小生画像を消去する（ステップＳ３０７）。
【００２４】
以上の例では、生画像の縮小を患者のスタディ単位で決定したが、画像単位で決定してもよい。また、画像の付帯情報として撮影日のみを示しているが、放射線情報誌システム（ＲＩＳ）からの情報として、医師が対象画像を診断した日時、あるいは医師が画像を参照した日時を受信して、これらの情報をもとに、オリジナルサイズで保存するか、縮小画像で保存するか、圧縮画像で保存するかの保存モードで決定してもよい。
【００２５】
画像の管理手段５０３をコンピュータで実現する場合には、以上の画像縮小、画像圧縮は装置の撮影に影響がないようにバックグランドで行われる。
【００２６】
図４を用いて、本実施例のＸ線撮像システムの全体を説明する。１０１はＸ線室、１０２はＸ線制御室、１０３は診断室を表している。本Ｘ線撮像システムの全体的な動作はシステム制御部１１０によって支配される。システム制御部１１０の機能は、主に以下に述べるものであるが、図１に示した画像管理手段５０３はシステム制御部１１０の一部の機能である。
【００２７】
操作者インターフェース１１１は、ディスプレイ上のタッチパネル、マウス、キーボード、ジョイスティック、フットスイッチなどがある。操作者インターフェース１１１から撮像条件（静止画、動画、Ｘ線管電圧、管電流、Ｘ線照射時間など）および撮像タイミング、画像処理条件、被検者ＩＤ、取込画像の処理方法などの設定を行うことが出来るが、ほとんどの情報は放射線情報システム５０７から転送されるので、個別に入力する必要はない。操作者の重要な作業は、撮影した画像の確認作業である。つまり、アングルが正しいか、患者が動いていないか、画像処理が適切か等の判断をおこなう。
【００２８】
そして、システム制御部１１０はＸ線撮像シーケンスを司る撮像制御部２１４に、撮像者１０５あるいは放射線情報システム５０７の指示に基づいた撮像条件を指示し、データを取り込む。撮像制御部２１４はその指示に基づき、放射線源２１１であるＸ線発生装置１２０、撮像用寝台１３０、Ｘ線検出器１４０を駆動して画像データを取り込み、画像処理部１０に転送後、操作者指定の画像処理を施してディスプレイ１６０に表示、同時にオフセット補正、ＬＯＧ変換、およびゲイン補正の基本画像処理を行った生データを外部記憶装置１６１に保存する。
外部記憶装置１６１は、図１で示した生画像保存装置５０２を含んだ構成であり、外部記憶装置１６１には、生画像の他に処理プログラム、保存画像リスト、ゲイン補正用画像等が保存される。
【００２９】
さらに、システム制御部１１０は撮像者１０５の指示に基づいて、再画像処理及び再生表示、ネットワーク上の装置へ画像データを転送して保存、ディスプレイ表示やフィルムへ印刷などを行う。
【００３０】
次に、信号の流れを追って順次説明を加える。
【００３１】
Ｘ線発生装置１２０にはＸ線管球１２１とＸ線絞り１２３とが含まれる。Ｘ線管球１２１は撮像制御部２１４に制御された高圧発生電源１２４によって駆動され、Ｘ線ビーム１２５を放射する。Ｘ線絞り１２３は撮像制御部２１４により駆動され、撮像領域の変更に伴い、不必要なＸ線照射を行わないようにＸ線ビーム１２５を整形する。Ｘ線ビーム１２５はＸ線透過性の撮像用寝台１３０の上に横たわった被検体１２６に向けられる。撮像用寝台１３０は、撮像制御部２１４の指示に基づいて駆動される。Ｘ線ビーム１２５は、被検体１２６および撮像用寝台１３０を透過した後にＸ線検出器１４０に照射される。
【００３２】
Ｘ線検出部１４０はグリッド１４１、シンチレータ１４２、光検出器アレー８、Ｘ線露光量モニタ１４４および駆動回路１４５から構成される。グリッド１４１は、被検体１２６を透過することによって生じるＸ線散乱の影響を低減する。
グリッド１４１はＸ線低吸収部材と高吸収部材とから成り、例えば、ＡｌとＰｂとのストライプ構造をしている。そして、光検出器アレー８とグリッド１４１との格子比の関係によりモワレが生じないようにＸ線照射時には撮像制御部２１４の指示に基づいてグリッド１４１を振動させる。図１で示したＸ線フラットパネルセンサー５０１の必須構成要素としては、シンチレータ１４２、光検出器アレー８および駆動回路１４５である。
【００３３】
シンチレータ１４２ではエネルギーの高いＸ線によって蛍光体の母体物質が励起され、再結合する際の再結合エネルギーにより可視領域の蛍光が得られる。その蛍光はＣａＷｏ４やＣｄＷＯ４などの母体自身によるものやＣｓｌ：ＴｌやＺｎＳ：Ａｇなどの母体内に不活された発光中心物質によるものがある。
【００３４】
このシンチレータ１４２に隣接して光検出器アレー８が配置されている。この光検出器アレー８は光子を電気信号に変換する。Ｘ線露光量モニタ１４４はＸ線透過量を監視するものである。Ｘ線露光量モニタ１４４は結晶シリコンの受光素子などを用いて直接Ｘ線を検出しても良いし、シンチレータ１４２からの光を検出してもよい。この例では、光検出器アレー８を透過した可視光（Ｘ線量に比例）を光検出器アレー８基板裏面に成膜されたアモーファスシリコン受光素子で検知し、撮像制御部２１４にその情報を送り、撮像制御部２１４はその情報に基づいて高圧発生電源１２４を駆動してＸ線を遮断あるいは調節する。駆動回路１４５は、撮像制御部２１４の制御下で、光検出器アレー（フラットパネルセンサ）８を駆動し、各画素から信号を読み出す。光検出器アレー８、周辺駆動回路１４５については後で詳述する。
【００３５】
Ｘ線検出部１４０からの画像信号は、Ｘ線室１０１からＸ線制御室１０２内の画像処理部１０へ転送される。この転送の際、Ｘ線室１０１内はＸ線発生に伴うノイズが大きいため、画像データがノイズのために正確に転送されない場合が有るため、転送路の耐雑音性を高くする必要がある。誤り訂正機能を持たせた伝送系にする事やその他、例えば、差動ドライバによるシールド付き対より線や光ファイバによる転送路を用いることが望ましい。画像処理部１０では、撮像制御部２１４の指示に基づき表示データを切り替える（後に詳しく述べる）。その他、画像データの補正、空間フィルタリング、リカーシブ処理などをリアルタイムで行ったり、階調処理、散乱線補正、ＤＲ圧縮処理などを行うことも可能である。
【００３６】
処理された画像はディスプレイアダプタ１５１を介してディスプレイ１６０に表示される。またリアルタイム画像処理と同時に、データの補正のみ行われた基本画像は、高速記憶装置１６１に保存される。高速記憶装置１６１としては、大容量、高速かつ高信頼性を満たすデータ保存装置が望ましく、例えば、ＲＡＩＤ等のハードディスクアレー等が望ましい。また、操作者の指示に基づいて、高速記憶装置１６１に蓄えられた画像データは外部記憶装置に保存される。その際、画像データは所定の規格（例えばＩＳ＆Ｃ）を満たすように再構成された後に、外部記憶装置に保存される。外部記憶装置は、例えば、光磁気ディスク１６２、ＬＡＮ上のファイルサーバ１７０内のハードディスクなどである。
【００３７】
本Ｘ線撮像システムはＬＡＮボード１６３を介して、ＬＡＮに接続する事も可能であり、ＨＩＳとのデータの互換性を持つ構造を有している。ＬＡＮには、複数のＸ線撮像システムを接続する事は勿論のこと、画像を動画・静止画を表示するモニタ１７４、画像データをファイリングするファイルサーバ１７０、画像をフィルムに出力するイメージプリンタ１７２、複雑な画像処理や診断支援を行う画像処理用端末１７３などが接続される。本Ｘ線撮像システムは、所定のプロトコル（例えば、ＤＩＣＯＭ）に従って、画像データを出力する。その他、ＬＡＮに接続されたモニタを用いて、Ｘ線撮像時に医師によるリアルタイム遠隔診断が可能である。
【００３８】
図５に光検出アレー８の一例の等価回路を示す。以下の例は２次元アモーファスシリコンセンサについて説明を加えていくが、検出素子は特に限定する必要はなく、例えばその他の固体撮像素子（電荷結合素子など）あるいは光電子倍増管のような素子であってもＡ／Ｄ変換部の機能、構成については同様である。
【００３９】
さて、図５に戻って説明を加える。１素子の構成は光検出部２１と電荷の蓄積および読み取りを制御するスイッチングＴＦＴ２２とで構成され、一般にはガラスの基板上に配されたアモーファスシリコン（α−Ｓｉ）で形成される。光検出部２１中の２１−Ｃはこの例では単に寄生キャパシタンスを有した光ダイオードでもよいし、光ダイオード２１−Ｄと検出器のダイナミックレンジを改良するように追加コンデンサ２１−Ｃを並列に含んでいる光検出器と捉えても良い。ダイオード２１−ＤのアノードＡは共通電極であるバイアス配線Ｌｂに接続され、カソードＫはコンデンサ２１−Ｃに蓄積された電荷を読みだすための制御自在なスイッチングＴＦＴ２２に接続されている。この例では、スイッチングＴＦＴ２２はダイオード２１−ＤのカソードＫと電荷読み出し用増幅器２６との間に接続された薄膜トランジスタである。
【００４０】
スイッチングＴＦＴ２２と信号電荷はリセット用スイッチング素子２５を操作してコンデンサ２１−Ｃをリセットした後に、放射線１を放射することにより、光ダイオード２１−Ｄで放射線量に応じた電荷発生し、コンデンサ２１−Ｃに蓄積される。その後、再度、スイッチングＴＦＴ２２と信号電荷はリセット用スイッチング素子２５を操作して容量素子７１３に電荷を転送する。そして、光ダイオード２１−Ｄにより蓄積された量を電位信号として前置増幅器２６によって読み出し、Ａ／Ｄ変換を行うことにより入射放射線量を検出する。
【００４１】
図６は２次元に配列した光電変換装置を表した等価回路図である。図５で示された光電変換素子を具体的に２次元に拡張して構成した場合における光電変化動作について述べる。
【００４２】
光検出アレー８の画素は２０００×２０００〜４０００×４０００程度の画素から構成され、アレー面積は２００ｍｍ×２００ｍｍ〜５００ｍｍ×５００ｍｍ程度である。図９において、光検出アレー８は４０９６×４０９６の画素から構成され、アレー面積は４３０ｍｍ×４３０ｍｍである。よって、１画素のサイズは約１０５×１０５μｍである。１ブロック内の４０９６画素を横方向に配線し、４０９６ラインを順に縦に配置する事により各画素を２次元的に配置している。
【００４３】
上記の例では４０９６×４０９６画素の光検出器アレー８を１枚の基板で構成した例を示したが、４０９６×４０９６画素の光検出器アレー８を２０４８×２０４８個の画素を持つ４枚の光検出器で構成することもできる。２０４８×２０４８個の検出器を４枚で１つの光検出器アレー８を構成する場合は、分割して製作する事により歩留まりが向上するなどのメリットがある。
【００４４】
前述の通り１画素は、光電変換素子２１とスイッチングＴＦＴ２２とで構成される。２１−（１，１）〜２１−（４０９６，４０９６）は前述の光電変換素子２１に対応するものであり、光検出ダイオードのカソード側をＫ、アノード側をＡと表している。２２−（１，１）〜２２−（４０９６，４０９６）はスイッチングＴＦＴ２２に対応するものである。
【００４５】
２次元光検出器アレー８の各列の光電変換素子２１−（ｍ，ｎ）のＫ電極は対応するスイッチングＴＦＴ２２−（ｍ，ｎ）のソース、ドレイン導電路によりその列に対する共通の列信号線（Ｌｃ１〜４０９６）に接続されている。例えば、列１の光電変換素子２１−（１，１）〜（１，４０９６）は第１の列信号配線Ｌｃ１に接続されている。各行の光電変換素子２１のＡ電極は共通にバイアス配線Ｌｂを通して前述のモードを操作するバイアス電源３１に接続されている。各行のＴＦＴ２２のゲート電極は行選択配線（Ｌｒ１〜４０９６）に接続されている。例えば、行１のＴＦＴ２２−（１，１）〜（４０９６，１）は行選択配線Ｌｒ１に接続される。行選択配線Ｌｒはラインセレクタ部３２を通して撮像制御部３３に接続されている。ラインセレクタ部３２は例えばアドレスデコーダ３４と４０９６個のスイッチ素子３５から構成される。この構成により任意のラインＬｒｎを読み出すことが可能である。ラインセレクタ部３２は最も簡単に構成するならば単に液晶ディスプレイなどに用いられているシフトレジスタによって構成することも可能である。
【００４６】
列信号配線Ｌｃは撮像制御部３３により制御される信号読み出し部３６に接続されている。２５は列信号配線Ｌｒをリセット基準電源２４の基準電位にリセットするためのスイッチ、２６は信号電位を増幅するための前置増幅器、３８はサンプルホールド回路、３９はアナログマルチプレクサ、４０はＡ／Ｄ変換器をそれぞれ表す。それぞれの列信号配線Ｌｒｎの信号は前置増幅器２６により増幅されサンプルホールド回路３８によりホールドされる。その出力はアナログマルチプレクサ３９により順次Ａ／Ｄ変換器４０へ出力されディジタル値に変換され図示しない画像処理部１０に転送される。
【００４７】
本実施の形態の光電変換装置は４０９６×４０９６個の画素を４０９６個のラインＬｃｎに分け、１列あたり４０９６画素の出力を同時に転送し、この列信号配線Ｌｃを通して前置増幅器２６−１〜４０９６、サンプルホールド部３８−１〜４０９６を通してアナログマルチプレクサ３９によって順次、Ａ／Ｄ変換器４０に出力される。
【００４８】
図６ではあたかもＡ／Ｄ変換器４０が１つで構成されているように表されているが、実際には４〜３２の系統で同時にＡ／Ｄ変換を行う。これは、アナログ信号帯域Ａ／Ｄ変換レートを不必要に大きくすることなく、画像信号の読み取り時間を短くすることが要求されるためである。
【００４９】
蓄積時間とＡ／Ｄ変換時間とは密接な関係にあり、高速にＡ／Ｄ変換を行うとアナログ回路の帯域が広くなり所望のＳ／Ｎを達成することが難しくなる。従って、Ａ／Ｄ変換速度を不必要に速くすることなく、画像信号の読み取り時間を短くすることが要求される。そのためには、多くのＡ／Ｄ変換器４０を用いてＡ／Ｄ変換を行えばよいが、その場合はコストが高くなる。よって、上述の点を考慮して適当な値を選択する必要がある。
【００５０】
放射線１の照射時間はおよび１０〜５００ｍｓｅｃであるので、全画面の取り込み時間あるいは電荷蓄積時間を１００ｍｓｅｃのオーダーあるいはやや短めにすることが適当である。
【００５１】
例えば、全画素を順次駆動して１００ｍｓｅｃで画像を取り込むために、アナログ信号帯域を５０ＭＨｚ程度にし、例えば、１０ｍＨｚのサンプリングレートでＡ／Ｄ変換を行うと、最低でも４系統のＡ／Ｄ変換器４０が必要になる。本撮像装置では１６系統で同時にＡ／Ｄ変換を行う。１６系統のＡ／Ｄ変換器４０の出力はそれぞれに対応する１６系統の図示しないメモリ（ＦＩＦＯなど）に入力される。そのメモリを選択して切り替えることで連続した１ラインの走査線にあたる画像データとして以後の画像処理部１０、あるいはそのメモリに転送される。この後、画像、グラフとしてディスプレイなどの表示装置に表示を行う。
【００５２】
以上の様な構成により、テンポラリーに保存する生画像を、画像の付帯情報をもとに縮小、圧縮して管理できるので、装置のログ情報としての生画像の枚数を増やすことが出来る。
【００５３】
【発明の効果】
以上の様に、本発明によれば、撮像装置本体のログ情報を用いた効率の良い放射線画像処理を行うことができる。
【図面の簡単な説明】
【図１】実施例の構成を示す図
【図２】撮影要求リストを示す図
【図３】画像管理手段の処理を示すフローチャート
【図４】Ｘ線画像撮影装置の詳細な構成を示す図
【図５】センサ等価回路を示す図
【図６】フラットセンサパネルの回路図
【符号の説明】
５０５  画像縮小手段
５０６  画像圧縮手段
【図１】
0004560175.tif 000002
【図２】
0004560175.tif 000003
【図３】
0004560175.tif 000004
【図４】
0004560175.tif 000005
【図５】
0004560175.tif 000006
【図６】
0004560175.tif 000007